(57)【要約】【課題】差動映像信号の伝送方式を用いたＣＣＴＶシステムであって、多チャネルで獲得された映像信号を１つのＵＴＰケーブルを用いて伝送することによって、線路コストを節減することのできる中継装置が開示される。【解決手段】本発明によると、中継装置は、複数の映像獲得装置と複数のケーブルを介して接続された複数のポートと、前記複数のポートを介して前記複数の映像獲得装置に電源の供給を行なう電源部と、前記複数のポートを介して前記複数の映像獲得装置から伝送された複数の映像信号が複数のラインを備えた１つのケーブルを介して接続された映像記録装置に出力される出力ポートと、を含む。【選択図】図５
2008054327.tif 000002
【特許請求の範囲】
【請求項１】
複数の映像獲得装置と複数のケーブルを介して接続された複数のポートと、
前記複数のポートを介して前記複数の映像獲得装置に電源の供給を行なう電源部と、
前記複数のポートを介して前記複数の映像獲得装置から伝送された複数の映像信号が複数のラインを備えた１つのケーブルを介して接続された映像記録装置に出力される出力ポートと、
を含むことを特徴とする中継装置。
【請求項２】
前記電源部を介して入力された電源を前記複数のポートを介して前記複数の映像獲得装置に供給し、前記複数のポートを介して前記複数の映像獲得装置から伝送された複数のネットワークストリームを前記出力ポートに出力するＰｏＥ（Ｐｏｗｅｒ  ｏｖｅｒ  Ｅｔｈｅｒｎｅｔ）ネットワークハブを更に含むことを特徴とする請求項１に記載の中継装置。
【請求項３】
前記複数のポートを介して前記複数の映像獲得装置から伝送された複数の映像信号および前記複数のポートを介して前記複数の映像獲得装置から伝送された複数のネットワークストリームのいずれか１つを出力するように前記出力ポートをスイッチングするスイッチング部を更に含むことを特徴とする請求項２に記載の中継装置。
【請求項４】
前記複数のケーブルは複数のＵＴＰ（Ｕｎｓｈｉｅｌｄｅｄ  Ｔｗｉｓｔｅｄ  Ｐａｉｒ）ケーブルであり、
前記１つのケーブルは１つのＵＴＰ（Ｕｎｓｈｉｅｌｄｅｄ  Ｔｗｉｓｔｅｄ  Ｐａｉｒ）ケーブルであり、
前記複数のポートを介して前記複数の映像獲得装置から伝送された複数の映像信号に対する差動信号は前記１つのＵＴＰケーブルに含まれた複数のＵＴＰにそれぞれ割り当てられて前記映像記録装置に伝送されることを特徴とする請求項１に記載の中継装置。
【請求項５】
映像信号を獲得する撮像部と、
前記撮像部で獲得された映像信号を能動素子を用いて差動映像信号に変換しケーブルを介して接続された外部機器に伝送する変換部と、
を含むことを特徴とする映像獲得装置。
【請求項６】
前記外部機器は中継装置であり、前記ケーブルを介して接続された前記中継装置から電源を受信し、前記撮像部および前記変換部に供給する電源部を更に含むことを特徴とする請求項５に記載の映像獲得装置。
【請求項７】
前記変換部は、
第１抵抗および第２抵抗と、
前記第１抵抗および第２抵抗の可変に従って前記映像信号の非反転増幅利得を調整する非反転増幅器と、
前記第１抵抗および第２抵抗の可変に従って前記映像信号の反転増幅利得を調整する反転増幅器と、
を含むことを特徴とする請求項５に記載の映像獲得装置。
【請求項８】
前記中継装置を介して前記ケーブルに伝送された制御信号に従って前記撮像部および変換部のいずれか１つを制御する制御信号処理部を更に含むことを特徴とする請求項５に記載の映像獲得装置。
【請求項９】
入力された音響信号を処理する音響処理部と、
前記音響信号を差動音響信号に切り替える音響変換部と、
を更に含むことを特徴とする請求項５に記載の映像獲得装置。
【請求項１０】
前記ケーブルはＵＴＰケーブルであることを特徴とする請求項５に記載の映像獲得装置。
【請求項１１】
映像信号を獲得する撮像部と、
前記撮像部で獲得された映像信号が伝送される中継装置から電源を受信し、前記撮像部に供給する電源部と、
を更に含むことを特徴とする映像獲得装置。
【請求項１２】
映像信号を獲得する撮像部と、
前記撮像部で獲得された映像信号を能動素子を用いて差動映像信号に変換しケーブルを介して接続された外部機器に伝送する変換部と、
前記撮像部で獲得された映像信号をネットワークストリームに変換するネットワークインターフェース部と、
前記変換されたネットワークストリームを前記ケーブルを介して接続された外部機器に伝送するネットワーク送受信部と、
を含むことを特徴とする映像獲得装置。
【請求項１３】
前記外部機器は中継装置であり、
前記ネットワーク送受信部は前記ケーブルを介して接続された前記中継装置からの電源を受信して供給し、
前記ネットワーク送受信部が供給する電源を前記撮像部、前記変換部、および前記ネットワークインターフェース部に供給する電源部と、
を更に含むことを特徴とする請求項１２に記載の映像獲得装置。
【請求項１４】
前記ネットワーク送受信部は、前記中継装置を介して前記ケーブルに伝送された制御信号を受信することを特徴とする請求項１２に記載の映像獲得装置。
【請求項１５】
前記変換部は、
第１抵抗および第２抵抗と、
前記第１抵抗および第２抵抗の可変に従って前記映像信号の非反転増幅利得を調整する非反転増幅器と、
前記第１抵抗および第２抵抗の可変に従って前記映像信号の反転増幅利得を調整する反転増幅器と、
を含むことを特徴とする請求項１２に記載の映像獲得装置。
【請求項１６】
前記ケーブルはＵＴＰケーブルであることを特徴とする請求項１２に記載の映像獲得装置。
【請求項１７】
差動映像信号が印加される差動信号入力端子と、
前記差動映像信号を一般映像信号に変換し、変換された前記一般映像信号を可変的に増幅する差動映像処理部と、
前記増幅された一般映像信号が記録される記録媒体と、
を含むことを特徴とする映像記録装置。
【請求項１８】
前記差動信号入力端子は、複数の入力端子を備え、それぞれの入力端子に複数の差動映像信号が入力されることを特徴とする請求項１７に記載の映像記録装置。
【請求項１９】
前記一般映像信号の利得および周波数応答特性の少なくとも１つを補償して画質を最適化するための補償要素の設定値に基づいて前記差動映像処理部の増幅動作を制御する制御部を更に含むことを特徴とする請求項１７に記載の映像記録装置。
【請求項２０】
前記補償要素は、前記一般映像信号の利得および周波数応答特性の少なくとも１つを含み、
前記制御部は、ユーザにより入力された差動映像信号を伝送するためのケーブル長さに従って前記補償要素の設定値を自動設定することを特徴とする請求項１７に記載の映像記録装置。
【請求項２１】
前記制御部は、自動設定された前記補償要素の設定値をユーザの入力に従って調整することを特徴とする請求項１９に記載の映像記録装置。
【請求項２２】
前記差動映像処理部は、
前記周波数応答の設定値および利得の設置値を電圧に変換するＤ／Ａコンバーターと、
前記変換された周波数応答設定値に該当する電圧に応じて前記一般映像信号の周波数応答を調整する第１可変利得増幅器と、
前記変換された利得設定値に該当する電圧に応じて前記一般映像信号の利得を調整する第２可変利得増幅器と、
を含むことを特徴とする請求項１７に記載の映像記録装置。
【請求項２３】
前記ケーブルはＵＴＰケーブルであることを特徴とする請求項２０に記載の映像記録装置。
【請求項２４】
監視エリアの映像信号を獲得し、前記獲得された映像信号を差動映像信号およびネットワークストリームに変換する映像獲得装置と、
前記映像獲得装置を接続するケーブルを介して前記映像獲得装置に電源供給を行い、前記映像獲得装置から伝送された差動映像信号およびネットワークストリームのいずれか１つを複数のラインを備える１つのケーブルに出力する中継装置と、
前記中継装置を接続する１つのケーブルを介して出力された差動映像信号を一般映像信号に変換し、変換された前記一般映像信号を可変的に増幅して記録する映像記録装置と、
を含むことを特徴とする監視システム。
【請求項２５】
前記映像獲得装置と前記中継装置、前記中継装置と前記映像記録装置を接続するケーブルはＵＴＰケーブルであることを特徴とする請求項２４に記載の監視システム。
【請求項２６】
映像信号を獲得するための複数の映像獲得装置と、
前記映像信号を記録するための映像記録装置と、
前記複数の映像獲得装置と映像記録装置とを接続するための中継装置と、を含み、
前記中継装置はＵＴＰ（Ｕｎｓｈｉｅｌｄｅｄ  Ｔｗｉｓｔｅｄ  Ｐａｉｒ）ケーブルを介して前記映像記録装置に接続されていることを特徴とする映像システム。
【請求項２７】
前記ＵＴＰケーブルは複数の映像記録装置の個数に応じたＴｗｉｓｔｅｄ  Ｐａｉｒを有することを特徴とする請求項２６に記載の映像システム。
【請求項２８】
前記映像システムは、複数の映像獲得装置を中継装置に接続するための複数のＵＴＰケーブルを更に含み、前記ＵＴＰケーブルの数は複数の映像装置の数に応じたことを特徴とする請求項２７に記載の映像システム。
【請求項２９】
複数の異なる映像信号を出力するための第１出力ポートと、
複数のネットワークストリームを出力するための第２出力ポートと、
予め設定された間隔でネットワークの状態を検出し、前記ネットワーク状態を基盤に第１出力ポートと第２出力ポート間にスイッチングを行なうためのスイッチング部と、
を含むことを特徴とするネットワークで使用可能な中継装置。
【請求項３０】
前記スイッチング部は、ネットワークエラーに対する状態が検出されたとき、複数の異なる映像信号を出力するための第１出力ポートにスイッチングを行なうことを特徴とする請求項２９に記載のネットワークで使用可能な中継装置。
【請求項３１】
映像信号複数の補償素子を決定するためのディスプレー情報を出力するステップと、
伝達ラインの長さがディスプレー情報に基づいてユーザによって入力されたかを確認し、もし確認されると、伝達ラインの長さに対する複数の補償素子の値を設定し、複数の補償素子に従って映像信号を補償するステップと、
を含むことを特徴とする映像信号を向上させるための方法。
【請求項３２】
前記補償素子を設定するための調整が入力されたかを決定し、その調整が入力されると、複数の補償素子に従って映像信号を補償するステップを更に含むことを特徴とする請求項３１に記載の映像信号を向上させるための方法。
【請求項３３】
映像記録装置により補償された映像信号を記録するステップを更に含むことを特徴とする請求項３２に記載の映像信号を向上させるための方法。
【請求項３４】
複数の映像獲得装置から映像信号を獲得するステップと、
複数の獲得装置から中継装置で獲得した映像信号を提供するステップと、
ＵＴＰケーブルを介して前記中継装置から映像記録装置に前記獲得した映像信号を提供するステップと、
を含むことを特徴とする映像システムを作動させる方法。
【請求項３５】
予め決定された区間でネットワークの状態を検出するステップと、
ネットワークエラー状態が検出されると、スイッチング部が複数の異なる映像信号を出力するための第１出力ポートをスイッチングするために、複数の異なる映像信号を出力するための第１出力ポートとネットワーク状態に基づいて複数のネットワークストリームを出力するための第２出力ポート間にスイッチングを行なうステップと、
を含むことを特徴とする中継装置を動作させる方法。
【請求項３６】
映像獲得装置によりモニターリングされたエリアの映像信号を獲得するステップと、
前記獲得した映像信号を映像獲得装置で異なる映像信号とネットワークストリームに転換するステップと、
中継装置で前記映像獲得装置に電力の供給を行なうステップと、
前記映像獲得装置を接続するケーブルを使用するステップと、
前記映像獲得装置から伝送された異なる映像信号と前記中継装置により複数のラインを有する１つのケーブルに対するネットワークストリームを出力するステップと、
前記中継装置を接続する１つのケーブルを使用して異なる映像信号を一般な映像信号に転換し、この転換された一般な映像信号を増幅し、映像記録装置により増幅された信号を記録するステップと、
を含むことを特徴とする監視システムを動作させる方法。
【請求項３７】
予め決定された区間でネットワークの状態を検出するステップと、
ネットワークエラー状態が検出される時、スイッチング部が複数の異なる映像信号を出力するための第１出力ポートをスイッチングするために、複数の異なる映像信号を出力するための第１出力ポートとネットワーク状態に基づいて複数のネットワークストリームを出力するための第２出力ポート間にスイッチングを行なうステップと、
を含むことを特徴とするコンピュータープログラムが保存されたコンピューター記録装置。
【発明の詳細な説明】
【技術分野】
【０００１】
本発明は、非シルドより対線（unshielded twisted pair：ＵＴＰ）を介して映像獲得装置と映像記録装置を接続する中継装置に関し、詳細には非シルドより対線を用いて映像獲得装置と映像記録装置を接続し、非シルドより対線を介して映像獲得装置から伝送される差動映像信号を映像記録装置に伝送する中継装置に関する。
【背景技術】
【０００２】
監視および保安を目的にするCCTV(Closed-Circuit Television)システムは、一般に監視エリアの映像を映像獲得装置で獲得し、所定長さの映像伝送線路を介して映像記録装置に伝送して記録を行い、選択的に映像を映像表示装置に出力する。なお、映像伝送線路は映像記録装置に受信される映像画質に大きい影響を及ぼす。 
【０００３】
図１は一般のCCTVシステムの構成を示す図面である。同図に示すように、一般のCCTVシステムは、映像獲得装置１０により獲得されたアナログ映像信号を同軸ケーブル２０を介して映像記録装置３０に送って記録を行い、伝送されたアナログ映像信号は同軸ケーブル２０を介して選択的に映像表示装置４０に出力される。
【０００４】
図２は一般の多チャネルCCTVシステムの線路を示した図面である。同図に示すように、多チャネルCCTVシステムは、多チャネル、つまり多数の映像獲得装置１０を備えている。各映像獲得装置１０は電源供給のためにそれぞれの電源供給線を具備し、獲得した映像信号を各同軸ケーブル２０を介して映像記録装置３０に伝送する。一例として、図２に示すように、１６チャネルが備えられたCCTVシステムは１６チャネルに応じた１６個の同軸ケーブルを具備しなければならない。
【０００５】
しかし、同軸ケーブルは映像伝送において比較的優れた性能を有しているものの、伝送距離が長ければノイズに敏感で、信号損失により映像信号の利得および高周波応答の性能が低下する恐れがある。また、コストが高く、かつ大きい体積や重さによって施工が不都合である問題を抱えている。
【０００６】
係る問題を効率よく解決するために、ノイズに強い差動画信号の伝送特性を活用することで映像信号の伝送を行なうシステムが登場した。 
【０００７】
図３は一般的なアナログ映像信号および差動画信号を示した図面である。同図に示すように、映像獲得装置１０により獲得されて同軸ケーブル２０を介して伝送されるアナログ映像信号(a)、および差動画信号線路５０を介して伝送される差動画信号(b)が示されている。差動画信号(b)は、アナログ映像信号(a)と同じ位相を有する正映像信号と、それに対応する位相を有する逆映像信号からなる映像信号である。
【０００８】
図４には差動画信号を伝送するCCTVシステムが示されている。同図に示すように、CCTVシステムは、映像獲得装置１０により獲得されたアナログ映像信号を同軸ケーブル２０を介して第１変換装置６０に伝送して差動画信号に切り替える。第１変換装置６０は、切り替えられた差動画信号を差動画信号線路の一例であるＵＴＰ(Unshielded Twist Pair)ケーブル５０を介して第２変換装置７０へ伝送する。第２変換装置７０は差動画信号をアナログ映像信号に切り替えて同軸ケーブル２０を介して映像記録装置３０に伝送する。
【０００９】
第１変換装置６０としては、無電源受信型変換装置６２または線路の長さによる信号減殺に対応するため、映像信号の出力大きさを調節する有電源能動型変換装置６４であることができる。また、第２変換装置７０は、無電源受信型変換装置７２、または伝送による映像損失(信号利得および周波数応答など)の補償および映像の画質を自動で最適化したり手動で調節することのできる有電源能動型変換装置７４であることができる。
【００１０】
このような差動画信号伝送は伝送線路のコスト的な面においても一般映像信号を伝送する同軸ケーブルに対し安価なシステムである。 
【００１１】
しかしならが、差動画信号を伝送するCCTVシステムは、依然として映像獲得装置１０と第１変換装置６０との接続、また第２変換装置７０と映像記録装置３０との接続のために同軸ケーブル２０を使用しなければならない。 
【００１２】
さらに、多チャネルCCTVシステムにおいて、映像獲得装置１０各々に電源を供給するための電源供給線を備えなければならない。そして、各チャネルを介して獲得された映像信号を映像記録装置３０に伝送するため各チャネルに対応するＵＴＰケーブル５０を備えなければならない不都合がある。従って、電源線路および伝送線路によるチャネルの構成コストが高まるとともに、施工が不便になりかねない問題がある。
【特許文献１】韓国公開特許２００５−００３９１２８号
【特許文献２】韓国公開特許２００２−００９２６０１号
【特許文献３】韓国公開特許１９９８−００６５９９０号
【特許文献４】韓国公開特許２００５−００１４０６４号
【特許文献５】日本公開特許平９−２７４９７２号
【特許文献６】米国公開特許２００３−０２１７３６４号
【発明の開示】
【発明が解決しようとする課題】
【００１３】
本発明は前述した問題点を解決するために案出されたもので、本発明の目的は、差動映像信号の伝送方式を用いたＣＣＴＶシステムにおいて、多チャネルで獲得された映像信号を１つのＵＴＰ（Unshielded Twist Pair）ケーブルを用いて伝送することによって、線路コストを低減させることのできる中継装置を提供することにある。
【００１４】
また、本発明の他の目的は、多チャネルそれぞれに電源供給のための各電源供給線を備えることなく、多チャネルそれぞれに電源供給することのできる中継装置を提供することにある。
【００１５】
また、本発明の更なる目的は、伝送線路を変更せずにもネットワーク基盤の監視システムに転換し、ネットワーク基盤の監視システムにおいてネットワークエラーが発生した場合も監視領域の映像信号を持続的に獲得できるようにした中継装置を提供することにある。
【００１６】
また、本発明の目的は、外部に別の差動信号変換装置を設けずにも直接獲得された映像信号を差動映像信号およびネットワークストリームのいずれか１つに変換して非シルドより対線を介して接続された中継装置に伝送する映像獲得装置を提供することにある。
【００１７】
最後に、本発明の目的は、外部に差動映像信号を一般映像信号に変換するための別の装置および追加的な伝送線を用いることなく非シルドより対線を介して中継装置から伝送される差動映像信号を直接受信する映像記録装置およびその制御方法を提供することにある。
【課題を解決するための手段】
【００１８】
前述した目的を達成するための本発明に係る中継装置は、複数の映像獲得装置と複数のケーブルを介して接続された複数のポートと、前記複数のポートを介して前記複数の映像獲得装置に電源の供給を行なう電源部と、前記複数のポートを介して前記複数の映像獲得装置から伝送された複数の映像信号が複数のラインを備えた１つのケーブルを介して接続された映像記録装置に出力される出力ポートと、を含む。
【００１９】
また、前記電源部を介して入力された電源を前記複数のポートを介して前記複数の映像獲得装置に供給し、前記複数のポートを介して前記複数の映像獲得装置から伝送された複数のネットワークストリームを前記出力ポートに出力するＰｏＥ（Ｐｏｗｅｒ  ｏｖｅｒ  Ｅｔｈｅｒｎｅｔ（登録商標））ネットワークハブを更に含むことが好ましい。
【００２０】
また、前記複数のポートを介して前記複数の映像獲得装置から伝送された複数の映像信号および前記複数のポートを介して前記複数の映像獲得装置から伝送された複数のネットワークストリームのいずれか１つを出力するように前記出力ポートをスイッチングするスイッチング部を更に含むことが好ましい。
【００２１】
好ましくは、前記複数のケーブルは複数のＵＴＰ（Ｕｎｓｈｉｅｌｄｅｄ  Ｔｗｉｓｔｅｄ  Ｐａｉｒ）ケーブルであり、前記１つのケーブルは１つのＵＴＰ（Ｕｎｓｈｉｅｌｄｅｄ  Ｔｗｉｓｔｅｄ  Ｐａｉｒ）ケーブルであり、前記複数のポートを介して前記複数の映像獲得装置から伝送された複数の映像信号に対する差動信号は前記１つのＵＴＰケーブルに含まれた複数のＵＴＰにそれぞれ割り当てられて前記映像記録装置に伝送されることができる。
【００２２】
一方、本発明に係る映像獲得装置は、映像信号を獲得する撮像部と、前記撮像部で獲得された映像信号を能動素子を用いて差動映像信号に変換しケーブルを介して接続された外部機器に伝送する変換部と、を含む。
【００２３】
好ましくは、前記外部機器は中継装置であり、前記ケーブルを介して接続された前記中継装置から電源を受信し、前記撮像部および前記変換部に供給する電源部を更に含むことができる。
【００２４】
詳細には、前記変換部は、第１抵抗および第２抵抗と、前記第１抵抗および第２抵抗の可変に従って前記映像信号の非反転増幅利得を調整する非反転増幅器と、前記第１抵抗および第２抵抗の可変に従って前記映像信号の反転増幅利得を調整する反転増幅器と、を含むことが好ましい。
【００２５】
そして、前記中継装置を介して前記ケーブルに伝送された制御信号に従って前記撮像部および変換部のいずれか１つを制御する制御信号処理部を更に含むこともできる。
【００２６】
または、入力された音響信号を処理する音響処理部と、前記音響信号を差動音響信号に切り替える音響変換部と、を更に含むことができる。
【００２７】
ここで、前記ケーブルはＵＴＰケーブルであることが好ましい。
【００２８】
一方、本発明に係る映像獲得装置は、映像信号を獲得する撮像部と、前記撮像部で獲得された映像信号が伝送される中継装置から電源を受信し、前記撮像部に供給する電源部と、を更に含む。
【００２９】
また、本発明に係る映像獲得装置は、映像信号を獲得する撮像部と、前記撮像部で獲得された映像信号を能動素子を用いて差動映像信号に変換しケーブルを介して接続された外部機器に伝送する変換部と、前記撮像部で獲得された映像信号をネットワークストリームに変換するネットワークインターフェース部と、前記変換されたネットワークストリームを前記ケーブルを介して接続された外部機器に伝送するネットワーク送受信部と、を含む。
【００３０】
好ましくは、前記外部機器は中継装置であり、前記ネットワーク送受信部は前記ケーブルを介して接続された前記中継装置からの電源を受信して供給し、前記ネットワーク送受信部が供給する電源を前記撮像部、前記変換部、および前記ネットワークインターフェース部に供給する電源部と、を更に含むことができる。
【００３１】
さらに、前記ネットワーク送受信部は、前記中継装置を介して前記ケーブルに伝送された制御信号を受信することが好ましい。
【００３２】
ここで、前記変換部は、第１抵抗および第２抵抗と、前記第１抵抗および第２抵抗の可変に従って前記映像信号の非反転増幅利得を調整する非反転増幅器と、前記第１抵抗および第２抵抗の可変に従って前記映像信号の反転増幅利得を調整する反転増幅器と、を含むことが好ましい。
【００３３】
なお、前記ケーブルはＵＴＰケーブルである。
【００３４】
本発明に係る映像記録装置は、差動映像信号が印加される差動信号入力端子と、前記差動映像信号を一般映像信号に変換し、変換された前記一般映像信号を可変的に増幅する差動映像処理部と、前記増幅された一般映像信号が記録される記録媒体と、を含む。
【００３５】
この際に、前記差動信号入力端子は、複数の入力端子を備え、それぞれの入力端子に複数の差動映像信号が入力されることが好ましい。
【００３６】
そして、前記一般映像信号の利得および周波数応答特性の少なくとも１つを補償して画質を最適化するための補償要素の設定値に基づいて前記差動映像処理部の増幅動作を制御する制御部を更に含むことが好ましい。
【００３７】
好ましくは、前記補償要素は、前記一般映像信号の利得および周波数応答特性の少なくとも１つを含み、前記制御部は、ユーザにより入力された差動映像信号を伝送するためのケーブル長さに従って前記補償要素の設定値を自動設定する。
【００３８】
また、前記制御部は、自動設定された前記補償要素の設定値をユーザの入力に従って調整することが好ましい。
【００３９】
詳細には、前記差動映像処理部は、前記周波数応答の設定値および利得の設置値を電圧に変換するＤ／Ａコンバーターと、前記変換された周波数応答設定値に該当する電圧に応じて前記一般映像信号の周波数応答を調整する第１可変利得増幅器と、前記変換された利得設定値に該当する電圧に応じて前記一般映像信号の利得を調整する第２可変利得増幅器と、を含むことが好ましい。
【００４０】
ここで、前記ケーブルはＵＴＰケーブルである。
【００４１】
本発明に係る監視システムは、監視エリアの映像信号を獲得し、前記獲得された映像信号を差動映像信号およびネットワークストリームに変換する映像獲得装置と、前記映像獲得装置を接続するケーブルを介して前記映像獲得装置に電源供給を行い、前記映像獲得装置から伝送された差動映像信号およびネットワークストリームのいずれか１つを複数のラインを備える１つのケーブルに出力する中継装置と、前記中継装置を接続する１つのケーブルを介して出力された差動映像信号を一般映像信号に変換し、変換された前記一般映像信号を可変的に増幅して記録する映像記録装置と、を含む。
【００４２】
このとき、前記映像獲得装置と前記中継装置、前記中継装置と前記映像記録装置を接続するケーブルはＵＴＰケーブルであることが好ましい。
【００４３】
さらに、映像信号を獲得するための複数の映像獲得装置と、前記映像信号を記録するための映像記録装置と、前記複数の映像獲得装置と映像記録装置とを接続するための中継装置と、を含み、前記中継装置はＵＴＰ（Ｕｎｓｈｉｅｌｄｅｄ  Ｔｗｉｓｔｅｄ  Ｐａｉｒ）ケーブルを介して前記映像記録装置に接続されていることが好ましい。
【００４４】
さらに、前記ＵＴＰケーブルは複数の映像記録装置の個数に応じたＴｗｉｓｔｅｄ  Ｐａｉｒを有することが好ましい。
【００４５】
また、前記映像システムは、複数の映像獲得装置を中継装置に接続するための複数のＵＴＰケーブルを更に含み、前記ＵＴＰケーブルの数は複数の映像装置の数に応じたことが好ましい。
【００４６】
一方、本発明に係るネットワークにおいて使用可能な中継装置は、複数の異なる映像信号を出力するための第１出力ポートと、複数のネットワークストリームを出力するための第２出力ポートと、予め設定された間隔でネットワークの状態を検出し、前記ネットワーク状態を基盤に第１出力ポートと第２出力ポート間にスイッチングを行なうためのスイッチング部と、を含む。
【００４７】
ここで、前記スイッチング部は、ネットワークエラーに対する状態が検出されたとき、複数の異なる映像信号を出力するための第１出力ポートにスイッチングを行なうことができる。
【００４８】
本発明に係る映像信号を向上させるための方法は、映像信号複数の補償素子を決定するためのディスプレー情報を出力するステップと、伝達ラインの長さがディスプレー情報に基づいてユーザによって入力されたかを確認し、もし確認されると、伝達ラインの長さに対する複数の補償素子の値を設定し、複数の補償素子に従って映像信号を補償するステップと、を含む。
【００４９】
ここで、前記補償素子を設定するための調整が入力されたかを決定し、その調整が入力されると、複数の補償素子に従って映像信号を補償するステップを更に含むことが好ましい。
【００５０】
また、本映像信号を向上させるための方法は、映像記録装置により補償された映像信号を記録するステップを更に含むことができる。
【００５１】
本発明に係る映像システムを作動させる方法は、複数の映像獲得装置から映像信号を獲得するステップと、複数の獲得装置から中継装置で獲得した映像信号を提供するステップと、ＵＴＰケーブルを介して前記中継装置から映像記録装置に前記獲得した映像信号を提供するステップと、を含む。
【００５２】
一方、本発明に係る中継装置を動作させる方法は、予め決定された区間でネットワークの状態を検出するステップと、ネットワークエラー状態が検出されると、スイッチング部が複数の異なる映像信号を出力するための第１出力ポートをスイッチングするために、複数の異なる映像信号を出力するための第１出力ポートとネットワーク状態に基づいて複数のネットワークストリームを出力するための第２出力ポート間にスイッチングを行なうステップと、を含む。
【００５３】
本発明に係る監視システムを動作させる方法は、映像獲得装置によりモニターリングされたエリアの映像信号を獲得するステップと、前記獲得した映像信号を映像獲得装置で異なる映像信号とネットワークストリームに転換するステップと、中継装置で前記映像獲得装置に電力の供給を行なうステップと、前記映像獲得装置を接続するケーブルを使用するステップと、前記映像獲得装置から伝送された異なる映像信号と前記中継装置により複数のラインを有する１つのケーブルに対するネットワークストリームを出力するステップと、前記中継装置を接続する１つのケーブルを使用して異なる映像信号を一般な映像信号に転換し、この転換された一般な映像信号を増幅し、映像記録装置により増幅された信号を記録するステップと、を含む。
【００５４】
最後に、本発明に係るコンピュータープログラムが保存されたコンピューター記録装置は、予め決定された区間でネットワークの状態を検出するステップと、ネットワークエラー状態が検出される時、スイッチング部が複数の異なる映像信号を出力するための第１出力ポートをスイッチングするために、複数の異なる映像信号を出力するための第１出力ポートとネットワーク状態に基づいて複数のネットワークストリームを出力するための第２出力ポート間にスイッチングを行なうステップと、を含むことができる。
【発明の効果】
【００５５】
以上のように、本発明によると、ＵＴＰケーブルを媒体に同位相のノイズに強い差動映像信号の伝送方式を用いることによって伝送性能が向上され得る。また、ＣＣＴＶシステムの構成が単純化されて同軸ケーブルを用いる従来のＣＣＴＶシステムに比べて伝送線路のコストが節減され、かつ施行の便宜性が図れる。
【００５６】
詳細に、近距離に位置している多数の映像獲得装置を中継装置と接続し、中継装置を介して多数の映像獲得装置に電源供給を行うことによって電源供給線路の構成コストが大幅節減される。そして、中継装置が多数の映像獲得装置から獲得された差動映像信号を１つのＵＴＰケーブルを介して長距離位置している映像記録装置に伝送することによって伝送線路の構成コストが節減され得る。
【００５７】
また、かかる伝送線路の構造は、ＵＴＰケーブルとネットワークハブから構成された一般のネットワーク線路の構造と同一であるので、伝送線路の交替なしにもネットワーク基盤の監視システムへの切り替えが容易である。
【００５８】
これによって、ＵＴＰケーブルを媒介に差動映像信号およびネットワークストリームを同時または選択的に出力することによって、ネットワークのエラー時に差動映像信号を選択出力して監視領域の情報の漏れを抑えることができる。
【００５９】
また、外部に差動映像信号を一般の映像信号に変換するための別の装置および伝送線を加えなくても差動映像信号を直接受信することによって、ＣＣＴＶシステムを構成する際に全システムの性能向上とシステム構成の単純化を図ることができる。
【００６０】
最後に、従来の差動映像信号は機械的な操作に従って制御したのに対して、表示情報を用いて設定値の設定に従って表示される画面の補正を確認しながら制御を行い、特に補償要素の直接的な入力以外にも伝送線路の長さによる補償要素が自動で予め設定されることで、ユーザにその便利さを提供することができる。
【発明を実施するための最良の形態】
【００６１】
以下、添付の図面に基づいて本発明の好適な実施形態を詳述する。
図５は、本発明の一実施の形態に係る非シルドより対線（unshielded twisted pair：ＵＴＰ）を介して映像獲得装置と映像記録装置とを連結する中継装置の含まれた多チャネルCCTVシステムの線路を示した図面である。
【００６２】
図５を参照すれば、多チャネルCCTVシステムは１６台の映像獲得装置１００、４台の中継装置３００、および映像記録装置４００を備えてなる。すなわちCCTVシステムは１６個のチャネルを備えた１６チャネルCCTVシステムである。
【００６３】
映像獲得装置１００は、設定された監視エリアで獲得した映像信号を差動画信号に切り替えてＵＴＰケーブル２００を介して中継装置３００に伝送する。この時、映像獲得装置１００と中継装置３００との間の近い距離には映像獲得装置１００それぞれにＵＴＰケーブル２００が接続されており、４台の映像獲得装置１００各々に接続されたＵＴＰケーブル２００を介して中継装置３００に差動画信号を伝送する。
【００６４】
中継装置３００は、ＵＴＰケーブル２００、２５０を介して映像獲得装置１００と映像記録装置４００を中継する装置であって、電源供給線を介して入力された電源を、接続されたＵＴＰケーブル２００を介して映像獲得装置１００に供給する。すなわち、中継装置３００は４台の映像獲得装置１００に電源供給を行なう。 
【００６５】
そして中継装置３００は４台の映像獲得装置１００から伝送された４個の差動画信号を１つのＵＴＰケーブル２５０を介して映像記録装置４００に伝送する。ここで、中継装置３００と映像記録装置４００との間の長い距離には４チャネル当たり１つのＵＴＰケーブル２５０で接続される。 
【００６６】
つまり、ＵＴＰケーブル２００、２５０は、４対のＵＴＰで形成されたケーブルであって、１対のＵＴＰで１台の映像獲得装置１００から伝送された差動画信号を伝送することによって、１つのＵＴＰケーブル２５０に含まれた４対のＵＴＰで４台の映像獲得装置１００から伝送された４つの差動画信号を映像記録装置４００に伝送可能である。
【００６７】
図６は本発明の一実施の形態に係る中継装置と非シルドより対線を介して連結された映像獲得装置を示した図面である。
同図に示すように、映像獲得装置１００は、ＵＴＰケーブル２００を介して中継装置３００と接続されている。映像獲得装置１００の一例として監視カメラであることができ、設定された監視エリアで獲得したアナログ映像信号を差動画信号に切り替え、ＵＴＰケーブル２００を介して変換した差動画信号を中継装置３００に伝送する。
【００６８】
図７Ａは図６に示された映像獲得装置がアナログ映像獲得装置である場合の概略的なブロック図である。
図７Ａを参照すると、アナログ映像獲得装置１００はアナログ映像信号を獲得し供給する装置であって、撮像部１１０、信号処理部１２０、変換部１３０、および電源部１４０を含んでいる。
【００６９】
撮像部１１０はレンズを介して入射される光学像を電気信号に変換してアナログ映像信号を獲得する。信号処理部１２０は、撮像部１１０から印加された映像信号について所定の信号処理を行い、信号処理されたアナログ映像信号を後述する変換部１３０に印加する。
変換部１３０は信号処理部１２０から伝送されたアナログ映像信号を差動画信号に変換し、この変換された差動画信号をＵＴＰケーブル２００に含まれた４対のＵＴＰのいずれか１つを介して中継装置３００に伝送する。 
【００７０】
この時に変換部１３０は線路の長さに従う信号減殺に対応するため、映像信号の出力大きさを調節する有電源能動型である。
【００７１】
電源部１４０はＵＴＰケーブル２００に含まれた４対のＵＴＰのいずれか一つに供給された電源を撮像部１１０、信号処理部１２０、および変換部１３０に供給する。
【００７２】
図７Ｂは図７Ａの映像獲得装置に備えられた変換部を詳細に示した図面である。
図７Ｂを参照すると、変換部１３０は有電源能動型であって、映像信号の利得を調節し差動画信号に変換しつつ、非反転増幅器(op１)、反転増幅器(op２)、フィードバックパラメーターＲ１、Ｒ２を含んでなる。
【００７３】
数１は非反転増幅器(op１)および反転増幅器(op２)の利得調整を行なうために利用される式である。
［数１］
非反転増幅利得＝１＋Ｒ２／Ｒ１
反転増幅利得＝−Ｒ２／Ｒ１
【００７４】
数１を参照すれば、フィードバックパラメーターＲ１、Ｒ２の可変によって非反転増幅利得および反転増幅利得の調整された差動画信号が生成される。
【００７５】
図７Ｃはアナログ映像獲得装置の他の実施形態を示したブロック図である。 
図７Ｃを参照すれば、アナログ映像獲得装置１００は、撮像部１１０、信号処理部１２０、変換部１３０、電源部１４０、および制御信号処理部１５０を有している。
【００７６】
制御信号処理部１５０はＵＴＰケーブル２００を介して伝送された制御信号により撮像部１１０、信号処理部１２０、および変換部１３０を制御する。 一例として、制御信号にフィードバックパラメータＲ１、Ｒ２の可変値が伝送されれば、制御信号処理部１５０は伝送されたフィードバックパラメータＲ１、Ｒ２の可変値をもって利得の調整が行なわれるよう変換部１３０の制御を行なう。または、制御信号で夜間モード/昼間モードの設定信号が伝送されれば、制御信号処理部１５０は夜間モードまたは昼間モードのいずれか一つを用いて映像を獲得および処理すべく撮像部１１０および信号処理部１２０を制御する。
【００７７】
図７Ｄはアナログ映像獲得装置の更なる実施形態を示したブロック図である。 
図７Ｄを参照すれば、アナログ映像獲得装置１００は、撮像部１１０、信号処理部１２０、変換部１３０、電源部１４０、制御信号処理部１５０、音響処理部１６０、および音響変換部１６５を含む。
【００７８】
音響処理部１６０は、マイクロから入力された音響信号に対して所定の信号処理を行なって信号処理されたアナログ音響信号を後述する音響変換部１６５に印加する。音響変換部１６５は、音響処理部１６０から伝送されたアナログ音響信号を差動音響信号に切り替え、この変換された差動音響信号をＵＴＰケーブル２００に含まれた４対のＵＴＰのいずれか一つを介して中継装置３００に伝送する。
【００７９】
あるいは音響変換部１６５は、ＵＴＰケーブル２００を介して伝送された差動音響信号をアナログ音響信号に切り替えて音響処理部１６０に印加する。 音響処理部１６０は音響変換部１６５から伝送されたアナログ音響信号に対して所定の信号処理を行い、スピーカーを介して出力する。
【００８０】
この時、ＵＴＰケーブル２００を介して音響信号に対する制御信号が入力されれば、音響処理部１６０および音響変換部１６５は制御信号処理部１５０の制御に応じて音響信号が処理される。
【００８１】
図７Ｅは図６に示された映像獲得装置がＩＰ映像獲得装置である場合を概略的に示すブロック図である。
図７Ｅを参照すれば、ＩＰ映像獲得装置１００は、ネットワークと接続され、アナログ映像信号を獲得してネットワークストリームへ供給する装置である。このようなＩＰ映像獲得装置１００は、撮像部１１０、信号処理部１２０、電源部１４０、PoE受信部１７０、およびネットワークインターフェース部１８０を含む。
【００８２】
信号処理部１２０は、撮像部１１０から印加された映像信号をデジタルに変換する。電源部１４０は後述するPoE(Power over Ethernet（登録商標）)受信部１７０から供給された電源を撮像部１１０、信号処理部１２０、ネットワーク インターフェース１８０に供給する。
【００８３】
PoE受信部１７０はＵＴＰケーブル２００に含まれた４対のＵＴＰのいずれか一つから電源の供給を受け、４対のＵＴＰのち差動画信号伝送ＵＴＰおよび電源供給ＵＴＰを除いたいずれか一つにネットワークストリームを伝送する。
【００８４】
ネットワークインターフェース１８０は、信号処理部１２０により変換されたデジタル映像信号をネットワークストリームに変換してPoE受信部１７０に伝送し、コデックスエンコーダー１８２およびイーサネットインターフェース１８４を有する。具体的にコデックスエンコーダー１８２はデジタル映像信号をネットワーク ストリームに変換し、イーサネット（登録商標）インターフェース１８４はネットワークストリームをＴＣＰ/ＩＰプロトコルに従ってPoE受信部１７０に伝送する。
【００８５】
図７Ｆは図７Ｅの映像獲得装置に備えられたPoE受信部を具体的に示した図面である。
図７Ｆを参照すれば、PoE受信部１７０はパワーソース機器  (Power Sourcing Equipment: PSE)１７２およびパワー機器１７４を含む。
【００８６】
パワーソース機器１７２は信号ペアライン(signal pare line)に４８Ｖの電源を供給する。パワー機器１７４はパワーソース機器１７２から供給された４８Ｖの電源をDCコンバーター１７５によりDC変換して出力する。
【００８７】
この時、ネットワークデータ線と電源線は共有される。すなわち、信号ペアラインで電源が供給され、信号ペアラインのいずれか一つにネットワーク ストリームが伝送されるのである。
【００８８】
図７Ｇは図６に示された映像獲得装置が複合映像獲得装置である場合を概略的に示すブロック図である。
図７Ｇを参照すれば、複合映像獲得装置１００は、図７Ａのアナログ映像獲得装置と図７ＥのＩＰ映像獲得装置の機能とが複合された映像獲得装置であって、撮像部１１０、信号処理部１２０、変換部１３０、電源部１４０、PoE受信部１７０、およびネットワークインターフェース１８０を有している。
【００８９】
このような複合映像獲得装置１００は、設定された監視エリアで獲得された映像信号を差動画信号およびネットワークストリームに切り替えてＵＴＰケーブル２００を介して中継装置３００に伝送する。これによって、ネットワーク基盤のCCTVシステムにおいてネットワーク問題により監視エリアの情報が獲得されない時には差動画信号を伝送することによって、監視エリアの情報漏れの恐れが予防される。
【００９０】
図８は本発明の一実施の形態に係る中継装置を示した図面である。
図８を参照すれば、中継装置３００は４つのＵＴＰケーブル２０２〜２０８を介して４台の映像獲得装置(ch.１〜ch.４)と接続される。 
【００９１】
中継装置３００は、電源供給線で入力された電源を４つのＵＴＰケーブル２０２〜２０８を介して各映像獲得装置(ch.１〜ch.４)に供給する。そして、中継装置３００は４つのＵＴＰケーブル２０２〜２０８を介して各映像獲得装置(ch.１〜ch.４)から伝送された４つの差動画信号を１つのＵＴＰケーブル２５０に含まれた４対のＵＴＰを介して映像記録装置４００へ伝送する。
【００９２】
図９Ａは非シルドより対線（unshielded twisted pair：ＵＴＰ）を介してアナログ映像獲得装置と接続する中継装置の一例について示されたブロック図である。
図９Ａを参照すれば、中継装置３００は電源接続部３１０、電源供給部３２０、および５つのＵＴＰケーブルポート３３２〜３４０を含んでなる。
【００９３】
電源接続部３１０は電源供給線を介して電源が入力される。電源供給部３２０は電源接続部３１０から入力された電源を４つのＵＴＰケーブルポート３３２〜３３８に接続された４つのＵＴＰケーブル２０２〜２０８を介してそれぞれの映像獲得装置(ch.１〜ch.４)に供給する。 
【００９４】
４つのＵＴＰケーブルポート３３２〜３３８には中継装置３００と各映像獲得装置(ch.１〜ch.４)を接続する４つのＵＴＰケーブル２０２〜２０８が接続されている。そして、残り１つのＵＴＰケーブルポート、すなわち出力ＵＴＰケーブルポート３４０には中継装置３００と映像記録装置４００を接続する１つのＵＴＰケーブル２５０が接続されている。
【００９５】
この時４つのＵＴＰケーブルポート３３２〜３３８に接続された４つのＵＴＰケーブル２０２〜２０８を介して各映像獲得装置(ch.１〜ch.４)から伝送された４つの差動画信号は出力ＵＴＰケーブルポート３４０に接続された１つのＵＴＰケーブル２５０に含まれる４対のＵＴＰを介して映像記録装置４００へ伝送される。
【００９６】
図９Ｂは非シルドより対線（unshielded twisted pair：ＵＴＰ）を介してＩＰ映像獲得装置と接続される中継装置の一例を示すたブロック図である。
図９Ｂを参照すれば、中継装置３００は、電源接続部３１０、PoEネットワークハブ３２０、および６つのＵＴＰケーブルポート３３２〜３４２を有する。
【００９７】
PoEネットワークハブ３２０は、電源接続部３１０から入力された電源を４つのＵＴＰケーブルポート３３２〜３３８に接続されている４つのＵＴＰケーブル２０２〜２０８を介して各映像獲得装置(ch.１〜ch.４)に供給する。
【００９８】
そして、PoEネットワークハブ３２０は、４つのＵＴＰケーブルポート３３２〜３３８に接続されている４つのＵＴＰケーブル２０２〜２０８を介して各映像獲得装置(ch.１〜ch.４)から伝送された４つのネットワークストリームをネットワークストリームの出力用ＵＴＰケーブルポート３４２に接続されているＵＴＰケーブルに含まれた４対のＵＴＰを介してネットワークに伝送する。
【００９９】
すなわち、中継装置３００が映像獲得装置１００とネットワークとの接続を中継する場合、中継装置３００は映像記録装置４００に差動画信号の出力を行なう差動画信号出力用ポート３４０と、ネットワークにネットワーク ストリームの出力を行なうネットワークストリームの出力用ポート３４２を備える。 
【０１００】
そして、差動画信号出力用ポート３４０を介して中継装置３００と映像記録装置４００とを接続するＵＴＰケーブルおよびネットワークストリーム出力用ポート３４２を介して中継装置３００とネットワークとを接続するＵＴＰケーブルが備えられる。
【０１０１】
図９Ｃは非シルドより対線（unshielded twisted pair：ＵＴＰ）を介してＩＰ映像獲得装置と接続する中継装置の他の例を示したブロック図である。
図９Ｃを参照すれば、中継装置３００は電源接続部３１０、PoEネットワークハブ３２０、７つのＵＴＰケーブルポート３３２〜３４２、３６０、およびスイッチ部３５０を有している。電源接続部３１０、PoEネットワーク ハブ３２０、および６つのＵＴＰケーブルポート３３２〜３４２の機能は図９Ｂで説明した通りである。
【０１０２】
スイッチ部３５０は、差動画信号出力用ポート３４０の出力およびネットワークストリームの出力用ポート３４２の出力のいずれか一つをスイッチングする。すなわち、中継装置３００は、一定の時間をおいてネットワークの状態を点検し、ネットワークに問題が発生した時には差動画信号出力用ポート３４０の出力をスイッチングさせる。
【０１０３】
これは、ネットワーク基盤のCCTVシステムにおけるネットワーク問題により監視エリアの情報が獲得されないというエラー発生の際に、差動画信号を伝送することで監視エリアの情報漏れを防止することができる。
【０１０４】
図１０は本発明の一実施の形態に係る映像記録装置を示すブロックである。
図１０を参照すれば、映像記録装置４００は、操作部４１１、音声入力端子４１２、音声信号処理部４１３、音声出力端子４１４、差動信号入力端子４１５、差動画処理部４２０、映像信号処理部４３０、表示情報生成部４３１、映像出力端子４３２、保存部４３３、記録媒体４３４、および制御部４３５を有している。
【０１０５】
操作部４１１は、ユーザの命令に従って入力信号を生成するためのボタンを備えている。操作部４１１はユーザの操作に応じてボタンが選択されれば、選択されたボタンに対応する入力信号を生成し、これを後述する制御部４３５に伝達する。一般に、映像記録装置に係る操作パネル、リモコン、別に備えられる操作機器、およびネットワークを通した外部機器からの操作命令の入力がそれに該当する。
【０１０６】
音声入力端子４１２は外部から音声信号を受信し音声信号処理部４１３に提供する。この音声信号処理部４１３は音声入力端子４１２から伝達された音声信号をデコーディングし音声出力端子４１４および後述する記録媒体４３４に提供する。音声出力端子４１４は音声信号処理部４１３から伝達された音声信号を外部音声出力装置に伝達するよう接続されている。
【０１０７】
差動信号入力端子４１５は、ＵＴＰケーブル２５０と接続されている端子(RJ-４５コネクターなど)を介して差動画信号が入力され、後述する差動画処理部４２０へ提供する。
【０１０８】
差動画処理部４２０は、差動信号入力端子４１５を介して入力された差動画信号を一般映像信号に変換し、この変換された一般映像信号を可変的に増幅させる。具体的に、差動画処理部４２０は、差動画信号を一般映像信号に再度変換し制御部４３５の制御に従って一般映像信号の利得および周波数応答特性の補償要素の少なくとも一つを補償することで、画質の最適化のために変換された一般映像信号を可変的に増幅する。
【０１０９】
このため補償要素を設定するための表示情報生成とユーザの操作命令に従った補償要素の設定については後述することとする。
【０１１０】
映像信号処理部４３０は、差動画処理部４２０から伝達された映像信号をデコーディングし表示情報生成部４３１および後述する記録媒体４３４に提供する。 
【０１１１】
表示情報生成部４３１は、映像記録装置４００の設定および制御のための表示情報を生成し、映像信号処理部４３０から伝達された映像信号に重畳されるか単独に出力されるようにする。映像出力端子４３２は表示情報生成部４３１から伝達された映像信号を外部の映像表示装置に伝えられるよう接続されている。
【０１１２】
保存部４３３は、映像記録装置４００の設定および制御を起動するための制御アルゴリズムなどが保存されている。また、補償要素の補償を介して最適の画質のための伝送線路の長さによる信号利得および周波数応答特性の設定値が保存される。記録媒体４３４は、映像記録装置４００に備えられた記録媒体インターフェースを介して映像および音声を保存する。その一例として、磁気テープ/ディスク、光ディスク、メモリースチックなどの記録媒体に保存可能である。
【０１１３】
制御部４３５は、保存部４３３に予め保存された制御アルゴリズムを利用して操作部４１１を介して入力されるユーザ命令に従って映像記録装置４００の全般的な動作を制御する。
【０１１４】
そして、制御部４３５は、一般映像信号の利得および周波数応答特性の少なくとも一つを補償して画質の最適化のめに補償要素の設定値に応じて差動画処理部４２０の増幅動作を制御する。
【０１１５】
この際、制御部４３５は、補償要素の設定値を設定するために表示情報生成部４３１を介して補償要素設定窓を生成して外部の映像表示装置に出力されるようにし、これによってユーザの操作入力に従って補償要素の設定値を設定することができる。
【０１１６】
そして、制御部４３５はユーザにより入力された差動画信号の伝送線路長さに応じて補償要素の設定値を保存部４３３に予め設定され保存された値に基づいて自動設定し、この設定された値はユーザの操作入力により微細調整される。この時、制御部４３５は、前述したような補償要素の設定に基づいて出力される映像が補正され、すぐに表示されるよう制御を行なう。
【０１１７】
これによって、出力映像の画質が向上され、かつ映像の補償要素設定が容易になることで、ユーザの便宜性が増大する。
【０１１８】
図１１は本発明の一実施の形態に係る映像記録装置に備えられた入力端子を示した図面である。
図１１を参照すれば、映像記録装置４００の後面に差動信号入力端子４１５が備えられる。これは、図５に示された１６チャネルCCTVシステムに備えられた映像記録装置４００の後面であり、差動信号入力端子４１５は４つの入力端子を備えている。つまり、４チャネルによって獲得された映像が１つのＵＴＰケーブルに伝送されることにより、１６チャネルによって獲得された映像は４つのＵＴＰケーブルに伝送されるからである。
【０１１９】
具体的に、差動信号入力端子４１５にはチャネル１から４によって獲得された映像が伝送されるＵＴＰケーブルの接続された入力端子、チャネル５からで８によって獲得された映像が伝送されるＵＴＰケーブルの接続された入力端子、チャネル９から１２によって獲得された映像が伝送されるＵＴＰケーブルの接続された入力端子、およびチャネル１３から１６によって獲得された映像が伝送されるＵＴＰケーブルの接続された入力端子、合わせて４つが備えられている。
【０１２０】
これによって、従来には同軸ケーブルに接続されている１６チャネルCCTVシステムの場合、映像記録装置に１６つの入力端子が備えらなければならなかったが、本発明によると１６チャネルCCTVシステムである場合４つの入力端子だけを備えれば良い。
【０１２１】
図１２は本発明の一実施の形態に係る映像記録装置に備えられた差動画処理部を詳細に示した図面である。
図１２を参照すれば、差動画処理部４２０は、Ｄ／Ａコンバーター４２１、第１可変利得増幅器４２２、および第２可変利得増幅器４２６を有する。
【０１２２】
ユーザの操作入力に従って利得および周波数応答特性などの補償要素の設定値が設定されれば、制御部４３５はこれをＤ／Ａコンバーター４２１へ伝達する。
【０１２３】
Ｄ／Ａコンバーター４２１は、制御部４３５から伝えられた設定値を変換し電圧に出力する。この時、Ｄ／Ａコンバーター４２１は周波数応答調整に対する設定値に応じた電圧は第１可変利得増幅器４２２に出力され、利得調整に対する設定値に応じた電圧は第２可変利得増幅器４２６に出力される。
【０１２４】
第１可変利得増幅器４２２は電圧コントロール乗算器４２３および第１ OP AMP４２５を有し、第２可変利得増幅器４２６は電圧コントロール乗算器４２８および第２OP AMP４２９を有する。
【０１２５】
第１および第２可変利得増幅器４２２、４２６は、各ＲＧを媒介に差動信号入力端子４１５を介して入力された差動画信号の電圧レベルを電流ＩＲＧに切り替える。そして、第１可変利得増幅器４２１および第２可変利得増幅器４２６に備えられた電圧コントロール乗算器４２３、４２９によって電流ＩＲＧに周波数応答調整に対する設定値および利得調整に対する設定値が反映される。各設定値が反映された電流ＩＲＧはカレントフィードバック構造の第１OP AMP４２５および第２OP AMP５２９の増幅端に伝えられる。
【０１２６】
即ち、第１可変利得増幅器４２２は設定値に応じて差動画信号の周波数応答を調整し、第２可変利得増幅器４２６は設定値に応じて差動画信号の利得を調整し出力する。この時、第２可変利得増幅器４２６の出力は第１可変利得増幅器４２２の増幅端にフィードバック電流として作用して最終的にアナログ映像信号が出力される。
【０１２７】
図１３は本発明の一実施の形態に係る差動画信号を制御するための表示情報を示した図面である。
図１３を参照すれば、チャネル、画面設定、および補償要素設定の表示情報が重畳して表示された外部の映像表示装置の設定画面５１０、補償要素設定窓５２０、および補償要素の細部設定画面５３０を示している。
【０１２８】
補償要素設定窓５２０はＵＴＰケーブルの全長さ、現に設定されている補償要素の設定値を示す。補償要素設定窓５２０のいずれか一つの項目を選択すると補償要素の細部設定画面５３０が表示される。 
補償要素の細部設定画面５３０にてユーザにより伝送線路の長さが入力されれば、これに従って補償要素(映像利得、周波数利得)が予め設定された値に設定され、以後にはユーザの微細設定入力に応じて補償要素の再設定が可能である。
【０１２９】
図１４は本発明の一実施の形態に係る映像記録装置の制御方法を説明するために提供されるフローチャートである。
図１４を参照すれば、制御部４３５は表示情報生成部４３１を介して補償要素を設定するための表示情報が出力されるようにする(Ｓ６１０)。
【０１３０】
そして、制御部４３５はＳ６１０ステップで出力された表示情報に従ってユーザから操作部４１１を介して伝送線路長さに対する入力があったか否かを確認する(Ｓ６２０)。
【０１３１】
また、Ｓ６２０ステップにおいて、伝送線路の長さが入力されれば(Ｓ６２０-Ｙ)、制御部４３５は入力された伝送線路の長さに適合する補償要素値を自動設定する(Ｓ６３０)。具体的に、制御部４３５は保存部４３３に伝送線路の長さに応じて予め設定され保存された補償要素設定値に基づいて補償要素を設定する。
【０１３２】
そして、制御部４３５はその設定された補償要素の設定値に基づいて映像信号を補正するよう差動画処理部４２０の増幅動作を制御する(Ｓ６４０)。これによって出力中である映像信号が補正出力される。
【０１３３】
一方、制御部４３５は操作部４１１を介して設定された補償要素の微細調整が入力されたか否かを判断する(Ｓ６５０)。
【０１３４】
Ｓ６５０ステップにおいて、微細調整が入力されれば(Ｓ６５０-Ｙ)、Ｓ６４０ステップを再度行なうことによって出力中である映像信号が補正出力されるようにする。
【０１３５】
以上、ＵＴＰケーブルが４対のＵＴＰから形成されていることについて図示かつ説明したが、これは実施形態に過ぎず、多数の対でも具現可能である。そして、ＵＴＰケーブルが４対のＵＴＰから形成されることによって１台の中継装置に４つの映像獲得装置が接続されていることについて説明したが、これも一実施の形態に過ぎないことであって、ＵＴＰケーブルに含まれたＵＴＰ個数に応じて１台の中継装置に多数の映像獲得装置が接続されることも具現可能である。
【０１３６】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【０１３７】
【図１】一般的なＣＣＴＶシステムの構成を示す図面である。
【図２】一般的な多チャネルＣＣＴＶシステムの線路を示す図面である。
【図３】一般的なアナログ映像信号および差動映像信号を示す図面である。
【図４】差動映像信号を伝送するＣＣＴＶシステムを示す図面である。
【図５】本発明の一実施の形態に係る非シルドより対線（unshielded twisted pair：ＵＴＰ）を介して映像獲得装置と映像記録装置とを接続する中継装置を含んだ多チャネルＣＣＴＶシステムの線路を示す図面である。
【図６】本発明の一実施の形態に係る中継装置と非シルドより対線を介して接続される映像獲得装置を示す図面である。
【図７Ａ】図６に示す映像獲得装置がアナログ映像獲得装置である場合の概略的なブロック図である。
【図７Ｂ】図７Ａの映像獲得装置に備えられた変換部を詳細に示す図面である。
【図７Ｃ】アナログ映像獲得装置の他の実施形態を示すブロック図である。
【図７Ｄ】アナログ映像獲得装置の更なる実施形態を示すブロック図である。
【図７Ｅ】図６に示す映像獲得装置がＩＰ映像獲得装置である場合の概略的なブロック図である。
【図７Ｆ】図７Ｅの映像獲得装置に備えられたＰｏＥ受信部を詳細に示す図面である。
【図７Ｇ】図６に示す映像獲得装置が複合映像獲得装置である場合の概略的なブロック図である。
【図８】本発明の一実施の形態に係る中継装置を示す図面である。
【図９Ａ】非シルドより対線を介してアナログ映像獲得装置と接続される中継装置の一実施形態を示すブロック図である。
【図９Ｂ】非シルドより対線を介してＩＰ映像獲得装置と接続される中継装置の一実施形態を示すブロック図である。
【図９Ｃ】非シルドより対線を介してＩＰ映像獲得装置と接続される中継装置の他の実施形態を示すブロック図である。
【図１０】本発明の一実施の形態に係る映像記録装置のブロック図である。
【図１１】本発明の一実施の形態に係る映像記録装置に備えられた入力端子を示す図面である。
【図１２】本発明の一実施の形態に係る映像記録装置に備えられた差動映像処理部を詳細に示す図面である。
【図１３】本発明の一実施の形態に係る差動映像信号の制御を行なうための表示情報を示す図面である。
【図１４】本発明の一実施の形態に係る映像記録装置の制御方法を説明するために提供されるフローチャートである。
【符号の説明】
【０１３８】
３００      中継装置
３１０      電源接続部
３２０      ＰｏＥネットワークハブ
３３２，３３４，３３６，３３８    ＵＴＰケーブル接続部
３４０      スイッチング部
３５０      ＵＴＰケーブル接続部
【図１】
2008054327.tif 000003
【図２】
2008054327.tif 000004
【図４】
2008054327.tif 000005
【図５】
2008054327.tif 000006
【図６】
2008054327.tif 000007
【図７Ａ】
2008054327.tif 000008
【図７Ｂ】
2008054327.tif 000009
【図７Ｃ】
2008054327.tif 000010
【図７Ｄ】
2008054327.tif 000011
【図７Ｅ】
2008054327.tif 000012
【図７Ｆ】
2008054327.tif 000013
【図７Ｇ】
2008054327.tif 000014
【図８】
2008054327.tif 000015
【図９Ａ】
2008054327.tif 000016
【図９Ｂ】
2008054327.tif 000017
【図９Ｃ】
2008054327.tif 000018
【図１０】
2008054327.tif 000019
【図１１】
2008054327.tif 000020
【図１２】
2008054327.tif 000021
【図１４】
2008054327.tif 000022
【図３】
2008054327.tif 000023
【図１３】
2008054327.tif 000024